(57)【要約】【課題】画像表示パネルによる静止画像および動画像の表示と、ＬＥＤを光源とした文字や絵などの発光表示とを同時に行える複合画像表示装置を提供する。【解決手段】画像表示パネルと、画像データの記憶部と、記憶部に記憶された画像データに基づき、画像表示パネルに静止画像または動画像を表示する画像表示手段とを有した画像表示器と、画像表示パネルの表側に重ね合わされる矩形状の導光板と、導光板のエッジ面に設けられ、かつエッジ面に沿って複数のＬＥＤが直線状に並ぶＬＥＤ光源列と、ＬＥＤ光源列の発光回路とを有する発光掲示器とを備える構成を採用したため、画像表示パネルによる静止画像および動画像の表示と、ＬＥＤを光源とした文字や絵などの発光表示とを同時に行うことができる。【選択図】図１
2015031807.tif 000002
【特許請求の範囲】
【請求項１】
画像表示器と発光掲示器とを備えた複合画像表示装置であって、
前記画像表示器は、
画像表示パネルと、
画像データを記憶する記憶部と、
該記憶部に記憶された画像データに基づき、前記画像表示パネルに静止画像または動画像を表示する画像表示手段とを有し、
前記発光掲示器は、
前記画像表示パネルの表側に重ね合わされる矩形状の導光板と、
該導光板のエッジ面に設けられ、かつ該エッジ面に沿って複数のＬＥＤが直線状に並んだＬＥＤ光源列と、
該ＬＥＤ光源列の発光回路とを有する複合画像表示装置。
【請求項２】
前記画像表示パネルは、前記導光板の裏側の一部に配置され、
該導光板の裏面のうち、前記画像表示パネルとの対峙部分を除く部分が、遮光シートにより覆われた請求項１に記載の複合画像表示装置。
【発明の詳細な説明】
【技術分野】
【０００１】
この発明は複合画像表示装置、詳しくは静止画像または動画像を表示する画像表示パネルの表側に、ＬＥＤを光源として手書き文字などを発光表示する導光板が重ね合わせて設けられた複合画像表示装置に関する。
【背景技術】
【０００２】
例えば、飲食店の玄関に設置され、店内の様子および料理の静止画像や動画像を液晶表示パネルに表示する画像表示装置として、例えば特許文献１に記載されたものが知られている。この画像表示装置は、防水機能を有し、かつメモリに記憶された画像データ（静止画像データ、動画像データ）を液晶表示パネルに表示する屋外用のものである。
特許文献１に記載の画像表示装置は、カメラ撮像した店内の画像データや料理の画像データをメモリから読み出し、それに基づく静止画像または動画像を、飲食店の玄関に設置された液晶表示パネルに表示し、集客力を高めるものである。
【０００３】
また、近年、蛍光ブラックボードマーカーなどの蛍光ペンにより描かれた手書きの文字や絵を、掲示板となる導光板の表面（掲示面）に発光表示する発光掲示装置が開発されている（例えば、特許文献２に記載の発光表示板）。これは、透明性樹脂からなる矩形状の導光板と、導光板の幅方向の両側のエッジ面に、複数のＬＥＤが各エッジ面に沿って一列に並んだ２つのＬＥＤ光源列と、これらを点灯させるＬＥＤ点灯回路と、導光板の裏面に配置される遮光シートとを備えた掲示装置である。
特許文献２に記載の発光表示板の使用時には、まず前記画像表示装置では得られない飲食店のリアルタイムな情報、例えば当日の特別な催し物、当日の特別メニューなどを、蛍光ペンによって導光板の表面に文字、絵として表示する。次に、ＬＥＤ点灯回路によりＬＥＤ光源列のＬＥＤを点灯させることによって、ＬＥＤからの光が導光板の端面を経てその内部に入射し、導光板を通過する途中で、導光板の表面に描かれた文字、絵を発光させる。その発光原理は、ＬＥＤの光が導光板の内部を伝播する途中、そのＬＥＤの光が蛍光ペンのインクに分散した蛍光塗料に当接して乱反射し、導光板の表面から出射することによる。その結果、暗がりや夜間でも手書きの文字などが発光し、歩行者の注意を引くことができる。
【先行技術文献】
【特許文献】
【０００４】
【特許文献１】特開２０１０−１３４２００号公報
【特許文献２】特許第４７２４８７２号公報
【発明の概要】
【発明が解決しようとする課題】
【０００５】
しかしながら、特許文献１に記載の画像表示装置によれば、通行人に対して提供される店舗情報は、液晶表示パネルに繰り返し表示される、例えばあらかじめ被写体を撮影した静止画像や動画像のみであった。そのため、目新しさに乏しく、例えば、その日の催し物やその日の特別メニューなどをリアルタイムで宣伝することは困難であった。
また、特許文献２に記載の発光表示板においても、あらかじめ蛍光ペンによって導光板の表面に書かれた文字、絵を発光させるだけのものであることから、目新しさに乏しい。
【０００６】
そこで、発明者は鋭意研究の結果、画像データに基づく静止画像または動画像を液晶表示する画像表示パネルの表側に、ＬＥＤを光源とした発光掲示装置の導光板を一体的に組み込むように構成すれば、上述した問題点はすべて解消されることを知見し、この発明を完成させた。
【０００７】
この発明は、液晶表示パネルに表示された静止画像および動画像の表示だけでなく、ＬＥＤを光源とした文字や絵などの発光表示も同時に行うことができる複合画像表示装置を提供することを目的としている。
【課題を解決するための手段】
【０００８】
請求項１に記載の発明は、画像表示器と発光掲示器とを備えた複合画像表示装置であって、前記画像表示器は、画像表示パネルと、画像データを記憶する記憶部と、該記憶部に記憶された画像データに基づき、前記画像表示パネルに静止画像または動画像を表示する画像表示手段とを有し、前記発光掲示器は、前記画像表示パネルの表側に重ね合わされる矩形状の導光板と、該導光板のエッジ面に設けられ、かつ該エッジ面に沿って複数のＬＥＤが直線状に並んだＬＥＤ光源列と、該ＬＥＤ光源列の発光回路とを有する複合画像表示装置である。
【０００９】
複合画像表示装置の使用目的および設置場所は任意である。また、複合画像表示装置は、床設置式のものでも、壁掛け（吊下げ）式のものでもよい。
画像表示パネルとしては、例えば液晶パネル、有機ＥＬパネルなどを採用することができる。画像表示パネルの画面はフラット（平坦）な方が、導光板の重ね合わせに好適である。画像表示パネルの輝度は、例えば２２１．７５〜３８５．５０ｃｄ／ｍ２である。
記憶部としては、例えばＲＯＭ，ＲＡＭを採用することができる。
画像データとしては、静止画像データ、動画像データが挙げられる。
画像表示手段とは、ＣＰＵからの指令により記憶部に記憶された画像データを取り出し、その画像データに基づき、静止画像または動画像を画像表示パネルに表示する回路である。
導光板（ＬＧＰ；Ｌｉｇｈｔ  Ｇｕｉｄｉｎｇ  Ｐａｎｅｌ）とは、エッジ面（縁面、側面）から内部に入射した光を拡散させ、表面から均一な光を出射する透明な平板である。
導光板の素材としては、例えばアクリル、ガラスなどの透明性の高いものを採用することができる。
導光板の大きさは、画像表示パネルと同一でも異なってもよい。
また、画像表示パネルにタッチパネル式情報端末を採用することで、その操作性（遠隔操作によるメンテナンス性など）を高めてもよい。
【００１０】
ＬＥＤ（Ｌｉｇｈｔ  Ｅｍｉｔｔｉｎｇ  Ｄｉｏｄｅ；発光ダイオード）の種類は任意である。例えば紫外線ＬＥＤや光の三原色（ＲＧＢ）のうち、何れか一色のＬＥＤでも、２色以上を発光可能な多色ＬＥＤでもよい。ＬＥＤの輝度は、例えば７３．２０〜１５８．３５ｃｄ／ｍ２である。
ＬＥＤ光源列を構成するＬＥＤの個数は、２個以上であれば任意である。また、ＬＥＤ光源列は同一色のＬＥＤを並べたものでも、異なる色のＬＥＤを任意配列で並べたものでもよい。
ＬＥＤ光源列は、導光板の４つのエッジ面のうち、一面のみに設けても、対となる二面に設けても、それ以上の面に設けてもよい。
発光回路は、各ＬＥＤ光源列の任意のＬＥＤを任意に点灯または点滅させる回路である。発光回路において、各ＬＥＤに対する点灯時間および点滅時間、点灯順序または点滅順序などの発光条件は任意に設定される。
【００１１】
また、画像表示パネルと導光板とを同一サイズ同一形状とし、かつ画像表示手段に、画像表示パネルの画面を縦並びまたは横並びの複数（２〜４つまたはそれ以上）の部分画像領域に区分する部分画像表示機能を設け、さらに導光板の表面を、部分画像領域に合わせた縦並びまたは横並びの複数（２〜４つまたはそれ以上）の部分手書き領域に区分し、またＬＥＤ光源列を、各部分手書き領域に対して、個別にＬＥＤ光を照射する複数の部分ＬＥＤ光源列から構成し、さらにまた発光回路に、複数の部分ＬＥＤ光源列のうち、選出された部分ＬＥＤ光源列のみを所定の発光条件で発光させるサブ回路を設けるようにしてもよい。
この構成を採用した場合には、画像表示パネルのうち、選出された部分画像領域のみに静止画像または動画像を表示し、その他の部分画像領域は輝度制御回路からの指令によりゼロ値として黒色表示（電源ＯＦＦ状態も可能）することができる。これにより、導光板のうち、前記選出された部分画像領域に該当するものを除く部分手書き領域において、この部分手書き領域の表面のみに、例えば蛍光ペン（蛍光ブラックボードマーカー）などで文字等を描き込み、かつこの文字等が書き込まれた部分画像領域と対応する部分ＬＥＤ光源列のＬＥＤのみを発光させることができる。その結果、画像表示領域の変更が容易で、かつＬＥＤ点灯の節電効果も得られる。
【００１２】
また、エッジライトのＬＥＤが発光する間（数分の１秒〜数秒の間）だけ、画像表示パネルの輝度（明るさ）を、ゼロ値または手書きの文字等の表示が鮮明になる値まで低下させる輝度制御回路を設けてもよい。このように構成すれば、輝度制御回路によってＬＥＤを発光させ、かつそれが発光している間だけ、画像表示パネルの輝度をゼロ値（画像表示パネルの画面は黒）または手書き文字等の表示が鮮明になる値（画像表示パネルの画面は薄暗い）まで低下させることができ、ＬＥＤ光源列による文字等の発光表示効果を高めることができる。
【００１３】
請求項２に記載の発明は、前記画像表示パネルは、前記導光板の裏側の一部に配置され、該導光板の裏面のうち、前記画像表示パネルとの対峙部分を除く部分が、遮光シートにより覆われた請求項１に記載の複合画像表示装置である。
導光板の表面の面積に対する画像表示パネルの表面の面積の比率は１０％以上、１００％未満である。１０％未満では表示面が小さく不鮮明である。また、１００％以上では導光板に取り付けるＬＥＤで表示部が一部欠損する。
遮光シートとしては、例えば紙、合成樹脂シートなどを採用することができる。遮光シートの表面の色は、文字や絵の発光表示をより鮮明にするため、黒色またはこれに近い暗色のものが好ましい。
【発明の効果】
【００１４】
請求項１に記載の発明によれば、画像表示器の画像表示パネルの表側に、発光掲示器の導光板を積層状態で設けたため、画像表示パネルに表示された静止画像または動画像は、透明な導光板の表面を通して視認することができる。また、例えば蛍光ペンにより導光板の表面に描写された文字や絵などは、ＬＥＤ光源列の各ＬＥＤから導光板に入射した光をエッジライトとして発光表示される。すなわち、ＬＥＤ光源列の光を側縁面から導光板の内部に通すことで、光は導光板の表面と裏面との間で屈折しながら前進する。その途中、導光板の表面の文字や絵などに光が斜め方向から当たって乱反射が発生することで、文字や絵などが発光する。このとき、導光板の表面のうちの文字や絵などが発光している部分以外は、内部を通る光が外へ漏れないという導光板の性質上、発光することなくその透明性が維持される。そのため、導光板の裏側に配置された画像表示パネルの静止画像および動画像の視認には支障がない。その結果、導光板の表面上で、静止画像および動画像と、ＬＥＤを光源として発光する文字や絵などとを同時に視認することができる。
【００１５】
特に、請求項２に記載の発明によれば、導光板のうち、遮光シートにより裏面が覆われた部分の表面に、例えば蛍光ペンを使用して文字や絵を描き込むようにすれば、この部分おいて、画像表示パネルからのバックライトが遮蔽され、文字や絵の発光表示を鮮明にすることができる。さらに、導光板のうち、遮光シートにより覆われた部分を設けることで、その分だけ画像表示パネルの小型化および低コスト化を図ることができる。
【図面の簡単な説明】
【００１６】
【図１】この発明の実施例１に係る複合画像表示装置の縦断面図である。
【図２】この発明の実施例１に係る複合画像表示装置の分解斜視図である。
【図３】この発明の実施例１に係る複合画像表示装置の正面図である。
【図４】この発明の実施例１に係る複合画像表示装置の背面図である。
【図５】この発明の実施例１に係る複合画像表示装置の電気機器の制御部のブロック図である。
【発明を実施するための形態】
【００１７】
以下、この発明の実施例を具体的に説明する。ここでは、飲食店の店先の路上に設置されるものを例とする。
【実施例】
【００１８】
図１〜図４において、１０はこの発明の実施例１に係る複合画像表示装置で、飲食店の店先の路上に設置され、通行人に店内の様子を知らせるとともにその日のメニューを紹介し、入店を促すものである。
この複合画像表示装置１０は、画像表示パネル１１に静止画像または動画像を表示する画像表示器１２と、矩形状の導光板１３の上下のエッジ面１３ａに沿って、複数のＬＥＤ１４が直線状に並んだ２本のＬＥＤ光源列１５を有する発光掲示器１６とを備えている。
【００１９】
以下、これらの構成部品を詳細に説明する。
画像表示器１２は、外装ケーシング１７の開口する表側に、液晶表示方式の画像表示パネル１１が組み込まれたものである（図１，図２，図４）。外装ケーシング１７の背部には、画像表示器１２を背後から覆う矩形容器状の防水カバー２０が設けられ、防水カバーの裏面中央部に複合画像表示装置１０を所定角度で傾斜支持する支持アーム１８が設けられている。外装ケーシング１７の表面の周縁部には、合成樹脂からなる透明保護板１９が固定され、この透明保護板１９の四隅が、ビス１２ａを介して、発光掲示器１６の裏板にねじ止められることで、画像表示器１２が発光掲示器１６に着脱自在に固定される（図４）。
【００２０】
図５に示すように、複合画像表示装置１０には、ＣＰＵを内蔵する制御部２１を有している。制御部２１の入力側には、画像表示器１２の電源スイッチ、画面切り換えスイッチなどが搭載された画像表示コントローラ２２と、発光掲示器１６の各ＬＥＤ光源列１５のＬＥＤ発光条件を切り換えるＬＥＤコントローラ２３とが電気的に接続されている。また、制御部２１の出力側には、画像表示器１２の画像表示パネル１１と、静止画像または動画像の画像データの記憶部２４と、記憶部２４に記憶された画像データに基づき、画像表示パネル１１に静止画像または動画像を表示する画像表示手段２５と、２本のＬＥＤ光源列１５の各ＬＥＤ１４と、これらのＬＥＤ１４の発光条件を変更する発光回路２６とが電気的に接続されている。なお、制御部２１の入力側には、必要により外部機器としてのデジタルカメラ３０が電気的に接続される。
【００２１】
発光掲示器１６は、画像表示パネル１１の表側に中央部が重ね合わされた矩形状の導光板１３と、導光板１３の上下のエッジ面１３ａに設けられ、かつ各エッジ面１３ａに沿って数１０個のＬＥＤ１４が直線状に並んだＬＥＤ光源列１５と、導光板１３の背面に設けられ、かつ厚肉な裏あて板２７と、裏あて板２７と同一形状で、導光板１３の裏面のうち、画像表示パネル１１との対峙部分を除く部分を覆う遮光シート２８と、前記発光回路２６とを有している。
導光板１３は、画像表示パネル１１と相似形でかつ画像表示パネル１１より大判なアクリル板である。
各ＬＥＤ光源列１５は、紫外線のＬＥＤ１４、赤色のＬＥＤ１４、緑色のＬＥＤ１４、青色のＬＥＤ１４を一組とする光の三原色（ＲＧＢ）のＬＥＤ群を、数組以上一列に並べたものである。
発光回路２６は、一対のＬＥＤ光源列１５を構成する各ＬＥＤ１４の発光条件を同期して変更する。その発光条件とは、ＬＥＤ１４の点灯時間、ＬＥＤ１４の点滅間隔、ＬＥＤ１４の発光色である。これらの発光条件を適宜変更し、通行人の注意を喚起する。
【００２２】
導光板１３の裏側には、画像表示パネル１１との対峙部分を除く部分を覆う矩形枠状の遮光シート２８が配置されている。
遮光シート２８は矩形状の黒色のシートからなり、その中央部には画像表示パネル１１と同一サイズの矩形状の開口部２８ａが形成されている。
裏あて板２７は木製の板材からなり、その中央部には画像表示パネル１１と相似形でかつ画像表示パネル１１と同一サイズの矩形状の開口部２７ａが形成されている。
導光板１３、遮光シート２８および裏あて板２７は四隅を一致して重ね合わされ、かつそれぞれの外縁部のみを覆う矩形状の金属枠材２９により挟持されて一体化されている。金属枠材２９の上枠部の内部空間と下枠部の内部空間とに、前記一対のＬＥＤ光源列１５が収納されている。
【００２３】
次に、図１〜図５を参照して、複合画像表示装置１０の使用方法を説明する。
図５に示すように、あらかじめ店内の様子をデジタルカメラ３０により静止画または動画として撮影し、例えばＳＤカードなどの記憶媒体を利用し、その画像データを画像表示器１２の記憶部（メモリ）２４に記憶させる。一方、図２に示すように、発光掲示器１６の導光板１３の表面（掲示面）に、各色の蛍光ペン（蛍光ブラックボードマーカー）を使用して、通行人の注意をひくような文字（キャッチコピー）や絵（イラスト）などを描き込む。その文字や絵の大半は、裏面が遮光シート２８により覆われた導光板１３の表面の外周部に描かれている。
【００２４】
その後、支持アーム１８を利用し、複合画像表示装置１０を飲食店の店先の歩道に設置し、画像表示コントローラ２２により画像表示器１２の電源スイッチを入れ、かつ画像選択ボタンを適宜操作し、記憶部２４から所望の画像データ（静止画像データまたは動画像データ）を抽出する（図５）。これにより、抽出された画像データに基づく静止画像または動画像が、画像表示手段２５によって画像表示パネル１１に表示される。
夜間時には、ＬＥＤコントローラ２３により発光掲示器１６の電源スイッチを入れ、ＬＥＤコントローラ２３の発光条件変更ボタンを適宜操作することにより、各ＬＥＤ光源列１５に対して、ＬＥＤ１４の点灯時間、ＬＥＤ１４の点滅間隔、三原色のＬＥＤ群の発光色を選択する。
【００２５】
このように、画像表示パネル１１の表側に導光板１３を積層状態で設けたため、画像表示パネル１１に表示された静止画像または動画像を、透明な導光板１３の表面を通して視認することができる。また、蛍光ペンにより導光板１３の表面に描写された文字や絵（遮光シート２８により裏当てされていない部分を含む）は、ＬＥＤ光源列１５の各ＬＥＤ１４から導光板１３に入射した光をエッジライトとして発光表示されるため、導光板１３を正面視した際、静止画像および動画像と、ＬＥＤ１４を光源として発光する文字や絵とを同時に視認することができる。
【００２６】
また、文字や絵の大半は、導光板１３のうち、遮光シート２８により裏面が覆われた部分の表面に描き込まれている。そのため、この文字や絵の表示された導光板１３の外周部分において、画像表示パネル１１からのバックライトが遮蔽される。これにより、大半の文字や絵の発光表示を鮮明化できる。もちろん、遮光シート２８により裏面が覆われていない導光板１３の中央部に描かれた絵も、画像表示パネル１１からのバックライトの影響によりその鮮明さは低下するものの、通行人は視認することができる。また、導光板１３のうち、遮光シート２８により覆われた部分を設けることで、この覆われた部分を含む大判サイズの画像表示パネル１１は不要となる。その分、画像表示パネル１１の小型化および低コスト化を図ることができる。
なお、複合画像表示装置１０は、防水構造を採用したものとしてもよい。
【産業上の利用可能性】
【００２７】
この発明の複合画像表示装置は、手書き表示が可能な屋内用または屋外用の画像表示装置として有用である。
【符号の説明】
【００２８】
１０  複合画像表示装置、
１１  画像表示パネル、
１２  画像表示器、
１３  導光板、
１３ａ  エッジ面、
１４  ＬＥＤ、
１５  ＬＥＤ光源列、
１６  発光掲示器、
２４  記憶部、
２５  画像表示手段、
２６  発光回路、
２８  遮光シート。
【図１】
2015031807.tif 000003
【図２】
2015031807.tif 000004
【図３】
2015031807.tif 000005
【図４】
2015031807.tif 000006
【図５】
2015031807.tif 000007